(57)【要約】【課題】大型クレーンを使用することなく、エレベータが設置された鉄塔支持型煙突を容易に安全かつ確実に解体することができる、鉄塔支持型煙突の解体方法を提供する。【解決手段】鉄塔２の１段目と、鉄塔の２段目とをヒンジ８により連結した後、鉄塔２の１段目を２つの鉄塔ブロック２ａに切断し、次いで、鉄塔ブロック２ａをヒンジ８を支点として鉄塔ブロック倒し用ジャッキ５と鉄塔ブロックガイド用ジャッキ７とにより下方に倒し、次いで、ヒンジ８を鉄塔２から切り離した後、鉄塔ブロック２ａを鉄塔ブロック吊り下ろし用ジャッキ６と、鉄塔ブロック倒し用ジャッキ５と、鉄塔ブロックガイド用ジャッキ７とを操作して吊り下ろし、次いで、筒身１の下部を切断した後、筒身１を筒身吊り上げ用ジャッキ４により吊り下ろす工程を繰り返し行うことによって、大型クレーンを使用することなく、鉄塔支持型煙突を容易に安全かつ確実に解体することができる。【選択図】図５（ａ）
2018168601.tif 000002
【特許請求の範囲】
【請求項１】
複数本の筒身の周囲に、前記筒身を支持する鉄塔が構築された鉄塔支持型煙突の解体方法において、下記（ａ）工程から（ｈ）工程を備え、
（ａ）前記鉄塔の下部に、前記筒身を吊り上げ可能な筒身吊り上げ用ジャッキを設置し、前記筒身の頂部に、切断された鉄塔ブロックをヒンジを支点として倒す鉄塔ブロック倒し用ジャッキと、前記鉄塔ブロックを吊り下ろす鉄塔ブロック吊り下ろし用ジャッキとを設置し、地上に、前記鉄塔ブロック吊り下ろし用ジャッキにより吊り下ろされる前記鉄塔ブロックをガイドする鉄塔ブロックガイド用ジャッキを設置するジャッキ設置工程、
（ｂ）前記鉄塔の上段の下部と、前記鉄塔の次段の上部とをヒンジにより連結する連結工程、
（ｃ）前記鉄塔の上段を複数個の鉄塔ブロックに切断する鉄塔切断工程、
（ｄ）前記鉄塔ブロック倒し用ジャッキと、前記鉄塔ブロックガイド用ジャッキとを操作して、前記鉄塔ブロックを前記ヒンジを支点として下方に倒す鉄塔ブロック倒し工程、
（ｅ）前記ヒンジを前記鉄塔から切り離すヒンジ切り離し工程、
（ｆ）前記鉄塔ブロック吊り下ろし用ジャッキと、前記鉄塔ブロック倒し用ジャッキと、前記鉄塔ブロックガイド用ジャッキとを操作して、前記鉄塔ブロックを吊り下ろす鉄塔ブロック吊り下ろし工程、
（ｇ）前記（ｂ）工程から前記（ｆ）工程によって、前記鉄塔の上段を解体した後、前記筒身吊り上げ用ジャッキに前記筒身の荷重を預けた状態で、前記筒身の下部を切断し、撤去する筒身切断撤去工程、
（ｈ）前記筒身吊り上げ用ジャッキにより前記筒身を吊り下ろす筒身吊り下ろし工程、
前記（ｂ）工程から前記（ｈ）工程を、前記鉄塔の上段から下段に亘って順次、繰り返し行うことを特徴とする、鉄塔支持型煙突の解体方法。
【請求項２】
前記筒身は、４本であることを特徴とする、請求項１に記載の、鉄塔支持型煙突の解体方法。
【請求項３】
請求項１または２に記載の発明において、前記鉄塔は、平面形状が正方形であることを特徴とする、請求項１または２に記載の、鉄塔支持型煙突の解体方法。
【請求項４】
前記鉄塔ブロックは、平面形状コ字形をなし、２つからなっていることを特徴とする、請求項１から３の何れか１つに記載の、鉄塔支持型煙突の解体方法。
【発明の詳細な説明】
【技術分野】
【０００１】
この発明は、鉄塔支持型煙突の解体方法、特に、大型クレーンを使用することなく、鉄塔支持型煙突を容易に安全かつ確実に解体することができる、鉄塔支持型煙突の解体方法に関するものである。
【背景技術】
【０００２】
鉄塔支持型煙突の解体方法の一例が特許文献１に開示されている。以下の、この鉄塔支持型煙突の解体方法を従来解体方法といい、図面を参照しながら説明する。
【０００３】
図９は、従来解体方法を示す説明図であり、（ａ）は、筒身１１Ａを撤去した図、（ｂ）  は、筒身１１Ｂを撤去した図、（ｃ）は、クローラクレーンにより鉄塔の中間部１２Ｂを撤去した後、筒身１１Ｃと筒身１１Ｄを撤去した図、（ｄ）は、ジャッキによる筒身の吊り位置を変えた図、（ｅ）は、筒身１１Ｅから筒身１１Ｉを撤去した図、（ｆ）は、ジャッキによる筒身の吊り位置を変えた図、（ｇ）は、筒身の頂部を解体する図である。
【０００４】
従来解体方法は、以下の工程からなっている。
【０００５】
（第１の筒身部分解体工程）
先ず、図９（ａ）に示すように、筒身１１を部分解体する。すなわち、鉄塔１２の第２支持点Ｓ２にジャッキ１５を取り付け、ジャッキ１５により筒身１１を支持しつつ筒身１１の下端部を切断位置２０で所定長さだけ切断し、切断した筒身１１Ａを搬送台車２１に搭載して撤去した後、筒身１１をジャッキダウンする。この際、安定に自立している鉄塔１２に設けられているガイドローラ１６によって筒身１１のジャッキダウンを支持案内することによって、ジャッキダウン作業を容易にかつ安全に行うことができる。なお、図中の１７、１８は、補強材、２２は、搬送台車２１が走行するためのレールである。そして、上記のような、筒身１１の下端部に対する切断撤去とジャッキダウンを行って、図９（ｂ）に示すように、筒身１１Ｂを切断撤去して、筒身１１をほぼ第４支持点Ｓ４の高さとなるまで解体する。
【０００６】
（鉄塔の中間部解体工程）
次に、鉄塔１２の上部１２Ａを筒身１１に保持させた状態で、図９（ｂ）に示すように、クローラクレーン３０を用いて、鉄塔１２の中間部１２Ｂを解体撤去する。なお、ここで、鉄塔１２の上部１２Ａは、第３支持点Ｓ３と第４支持点Ｓ４の間の部分であり、鉄塔１２の中間部１２Ｂは、第２支持点Ｓ２と第３支持点Ｓ３の間の部分である。
【０００７】
（第２の筒身部分解体工程）
次に、上述した筒身部分解体工程と同様にして、筒身１１の下端部に対する切断撤去とジャッキダウンとを繰り返して、図９（ｃ）に示すように、筒身１１Ｃ、１１Ｄを切断撤去して、鉄塔１２の上部１２Ａが鉄塔１２の下部１２Ｃに近づく位置になるまで解体撤去する。なお、ここで、鉄塔１２の下部１２Ｃは、第２支持点Ｓ２から下方の部分である。
【０００８】
（鉄塔の上部解体工程）
次に、図９（ｄ）に示すように、ジャッキ１５による筒身１１の吊り位置を変え、クローラクレーン３０を用いて、鉄塔１２の上部１２Ａを解体撤去する。
【０００９】
（第３の筒身部分解体工程）
次に、上述した筒身部分解体工程及び第２の筒身部分解体工程と同様にして、筒身１１の下端部に対する切断撤去とジャッキダウンとを繰り返して、図９（ｄ）、図９（ｅ）、図９（ｆ）に示すように、筒身１１Ｅから１１Ｍを順次切断撤去する。
【００１０】
（鉄塔の下部解体工程）
最後に、クローラクレーン３０を用いて、鉄塔１２の下部１２Ｃと、残った筒身１１を解体撤去する。これによって、図９（ｇ）に示すように、鉄塔支持型煙突１０の解体が完了する。
【先行技術文献】
【特許文献】
【００１１】
【特許文献１】特許第４５５９３１３号公報
【特許文献２】特許第５５６３６９７号公報
【特許文献３】特許第２８２８４３０号公報
【発明の概要】
【発明が解決しようとする課題】
【００１２】
上記従来解体方法によれば、煙突の高さ相当の超大型クレーンを使用することなく、鉄塔支持型煙突を安全かつ確実に解体することができるが、高所部分の鉄塔１２Ａ、１２Ｂの撤去に大型クレーンを必要とするといった問題があった。
【００１３】
従って、この発明の目的は、大型クレーンを使用することなく、鉄塔支持型煙突を容易に安全かつ確実に解体することができる、鉄塔支持型煙突の解体方法を提供することにある。
【課題を解決するための手段】
【００１４】
この発明は、上記目的を達成するためになされたものであって、下記を特徴とするものである。
【００１５】
請求項１記載の発明は、複数本の筒身の周囲に、前記筒身を支持する鉄塔が構築された鉄塔支持型煙突の解体方法において、下記（ａ）工程から（ｈ）工程を備え、
（ａ）前記鉄塔の下部に、前記筒身を吊り上げ可能な筒身吊り上げ用ジャッキを設置し、前記筒身の頂部に、切断された鉄塔ブロックをヒンジを支点として倒す鉄塔ブロック倒し用ジャッキと、前記鉄塔ブロックを吊り下ろす鉄塔ブロック吊り下ろし用ジャッキとを設置し、地上に、前記鉄塔ブロック吊り下ろし用ジャッキにより吊り下ろされる前記鉄塔ブロックをガイドする鉄塔ブロックガイド用ジャッキを設置するジャッキ設置工程、
（ｂ）前記鉄塔の上段の下部と、前記鉄塔の次段の上部とをヒンジにより連結する連結工程、
（ｃ）前記鉄塔の上段を複数個の鉄塔ブロックに切断する鉄塔切断工程、
（ｄ）前記鉄塔ブロック倒し用ジャッキと、前記鉄塔ブロックガイド用ジャッキとを操作して、前記鉄塔ブロックを前記ヒンジを支点として下方に倒す鉄塔ブロック倒し工程、
（ｅ）前記ヒンジを前記鉄塔から切り離すヒンジ切り離し工程、
（ｆ）前記鉄塔ブロック吊り下ろし用ジャッキと、前記鉄塔ブロック倒し用ジャッキと、前記鉄塔ブロックガイド用ジャッキとを操作して、前記鉄塔ブロックを吊り下ろす鉄塔ブロック吊り下ろし工程、
（ｇ）前記（ｂ）工程から前記（ｆ）工程によって、前記鉄塔の上段を解体した後、前記筒身吊り上げ用ジャッキに前記筒身の荷重を預けた状態で、前記筒身の下部を切断し、撤去する筒身切断撤去工程、
（ｈ）前記筒身吊り上げ用ジャッキにより前記筒身を吊り下ろす筒身吊り下ろし工程、
前記（ｂ）工程から前記（ｈ）工程を、前記鉄塔の上段から下段に亘って順次、繰り返し行うことに特徴を有するものである。
【００１６】
請求項２に記載の発明は、請求項１に記載の発明において、前記筒身は、４本であることに特徴を有するものである。
【００１７】
請求項３に記載の発明は、請求項１または２に記載の発明において、前記鉄塔は、平面形状が正方形であることに特徴を有するものである。
【００１８】
請求項４に記載の発明は、請求項１から３の何れか１つに記載の発明において、前記鉄塔ブロックは、平面形状コ字形をなし、２つからなっていることに特徴を有するものである。
【発明の効果】
【００１９】
この発明によれば、鉄塔の上段の下部と、鉄塔の次段の上部とをヒンジにより連結し、次いで、鉄塔の上段を複数個の鉄塔ブロックに切断し、次いで、鉄塔ブロックをヒンジを支点として下方に倒し、次いで、ヒンジを鉄塔から切り離し、次いで、鉄塔ブロックを吊り下ろし、次いで、筒身の下部を切断した後、筒身を吊り下ろす工程を繰り返し行うことによって、大型クレーンを使用することなく、鉄塔支持型煙突を容易に安全かつ確実に解体することができる。
【図面の簡単な説明】
【００２０】
【図１】この発明の、鉄塔支持型煙突の解体方法によって、筒身吊り上げ用ジャッキと、鉄塔ブロック倒し用ジャッキと、鉄塔ブロック吊り下ろし用ジャッキと、鉄塔ブロックガイド用ジャッキとを設置した鉄塔支持型煙突を示す平面図である。
【図２】鉄塔ブロック倒し用ジャッキと、鉄塔ブロック吊り下ろし用ジャッキと、鉄塔ブロックガイド用ジャッキとの設置部分の拡大図である。
【図３】筒身吊り上げ用ジャッキの設置部分の拡大図である。
【図４】煙突を示す平面図である。
【図５（ａ）】この発明の、鉄塔支持型煙突の解体方法によって、鉄塔の１段目（最上段）の鉄塔ブロックを吊り下ろす工程を示す正面図である。
【図５（ｂ）】この発明の、鉄塔支持型煙突の解体方法によって、鉄塔の１段目を解体した後、筒身の下部を切断し、撤去し、この後、筒身を吊り下ろす工程を示す正面図である。
【図５（ｃ）】この発明の、鉄塔支持型煙突の解体方法によって、筒身吊り上げ用ジャッキを据え替える工程を示す正面図である。
【図５（ｄ）】この発明の、鉄塔支持型煙突の解体方法によって、鉄塔の２段目の鉄塔ブロックを吊り下ろす工程を示す正面図である。
【図５（ｅ）】この発明の、鉄塔支持型煙突の解体方法によって、鉄塔の２段目を解体した後、筒身の下部を切断し、撤去し、この後、筒身を吊り下ろす工程を示す正面図である。
【図５（ｆ）】この発明の、鉄塔支持型煙突の解体方法によって、筒身吊り上げ用ジャッキを据え替える工程を示す正面図である。
【図５（ｇ）】この発明の、鉄塔支持型煙突の解体方法によって、鉄塔の３段目の鉄塔ブロックを吊り下ろす工程を示す正面図である。
【図５（ｈ）】この発明の、鉄塔支持型煙突の解体方法によって、鉄塔の３段目を解体した後、筒身の下部を切断し、撤去し、この後、筒身を吊り下ろす工程を示す正面図である。
【図５（ｉ）】この発明の、鉄塔支持型煙突の解体方法によって、筒身吊り上げ用ジャッキを据え替える工程を示す正面図である。
【図５（ｊ）】この発明の、鉄塔支持型煙突の解体方法によって、鉄塔の４段目の鉄塔ブロックを吊り下ろす工程を示す正面図である。
【図５（ｋ）】この発明の、鉄塔支持型煙突の解体方法によって、鉄塔の４段目を解体した後、筒身の下部を切断し、撤去し、この後、筒身を吊り下ろす工程を示す正面図である。
【図５（ｌ）】この発明の、鉄塔支持型煙突の解体方法によって、筒身吊り上げ用ジャッキを据え替える工程を示す正面図である。
【図５（ｍ）】この発明の、鉄塔支持型煙突の解体方法によって、クレーンにより、鉄塔ブロック倒し用ジャッキと、鉄塔ブロック吊り下ろし用ジャッキと、鉄塔ブロックガイド用ジャッキとを吊り下ろす工程を示す正面図である。
【図５（ｎ）】この発明の、鉄塔支持型煙突の解体方法によって、筒身の下部を切断した後、撤去し、この後、筒身を吊り下ろす工程を示す正面図である。
【図５（ｏ）】この発明の、鉄塔支持型煙突の解体方法によって、筒身吊り上げ用ジャッキを据え替える工程を示す正面図である。
【図５（ｐ）】この発明の、鉄塔支持型煙突の解体方法によって、筒身の下部を切断した後、撤去し、この後、筒身を吊り下ろす工程を示す正面図である。
【図５（ｑ）】この発明の、鉄塔支持型煙突の解体方法によって、筒身頂部を撤去する工程を示す正面図である。
【図５（ｒ）】この発明の、鉄塔支持型煙突の解体方法によって、クレーンにより、筒身吊り上げ用ジャッキを撤去する工程を示す正面図である。
【図５（ｓ）】この発明の、鉄塔支持型煙突の解体方法によって、鉄塔の最下段（５段目）を解体する工程を示す正面図である。
【図６】ヒンジ部分を示す正面図である。
【図７】ヒンジ部分を示す側面図である。
【図８】鉄塔ブロックをヒンジを支点として下方に倒した状態を示す正面図である。
【図９（ａ）】従来解体方法により筒身１１Ａを撤去した図である。
【図９（ｂ）】従来解体方法により筒身１１Ｂを撤去した図である。
【図９（ｃ）】従来解体方法によりクローラクレーンにより鉄塔の中間部１２Ｂを撤去した後、筒身１１Ｃと筒身１１Ｄを撤去した図である。
【図９（ｄ）】従来解体方法によりジャッキによる筒身の吊り位置を変えた図である。
【図９（ｅ）】従来解体方法により筒身１１Ｅから筒身１１Ｉを撤去した図である。
【図９（ｆ）】従来解体方法によりジャッキによる筒身の吊り位置を変えた図である。
【図９（ｇ）】従来解体方法により筒身の頂部を解体する図である。
【発明を実施するための形態】
【００２１】
この発明の、鉄塔支持型煙突の解体方法の一実施態様を、図面を参照しながら説明する。
【００２２】
図１は、この発明の、鉄塔支持型煙突の解体方法によって、筒身吊り上げ用ジャッキと、鉄塔ブロック倒し用ジャッキと、鉄塔ブロック吊り下ろし用ジャッキと、鉄塔ブロックガイド用ジャッキとを設置した鉄塔支持型煙突を示す平面図、図２は、鉄塔ブロック倒し用ジャッキと、鉄塔ブロック吊り下ろし用ジャッキと、鉄塔ブロックガイド用ジャッキとの設置部分の拡大図、図３は、筒身吊り上げ用ジャッキの設置部分の拡大図、図４は、煙突を示す平面図である。
【００２３】
図１から図４において、１は、複数本（この例では、４本）の筒身、２は、４本の筒身１の外側に構築された、筒身１を支持する鉄塔である。この例では、図１に示すように、鉄塔２を、５段階、すなわち、１段目（最上段）、２段目、３段目、４段目、５段目（最下段）に分割して解体、撤去する。鉄塔２は、図４に示すように、平面形状正方形をなしている。
【００２４】
３は、４本の筒身１の中央部に設置されたエレベータ用シャフト（図４参照）であり、エレベータは、例えば、足場の構築時等において使用する。
【００２５】
４は、鉄塔２の下部に設置された、筒身１を吊り上げ可能な筒身吊り上げ用ジャッキである。筒身吊り上げ用ジャッキ４としては、例えば、特許文献２に開示された大形ジャッキを使用する。
【００２６】
５は、筒身１の頂部に設置された鉄塔ブロック倒し用ジャッキであり、後述する切断された平面形状コ字形をなす鉄塔ブロック２ａを、後述するヒンジ８を支点として倒す際に使用するジャッキである。
【００２７】
６は、筒身１の頂部に設置された鉄塔ブロック吊り下ろし用ジャッキであり、鉄塔ブロック２ａを吊り下ろす際に使用するジャッキである。
【００２８】
７は、地上に設置された鉄塔ブロックガイド用ジャッキであり、鉄塔ブロック吊り下ろし用ジャッキ６により吊り下ろされる鉄塔ブロック２ａをガイドする際に使用するジャッキである。
【００２９】
鉄塔ブロック倒し用ジャッキ５、鉄塔ブロック吊り下ろし用ジャッキ６、鉄塔ブロックガイド用ジャッキ７としては、例えば、特許文献３に開示された小型ジャッキを使用する。
【００３０】
８は、鉄塔ブロック２ａの下部と、未切断の鉄塔２の上部とを連結するヒンジである。
【００３１】
次に、この発明の、鉄塔支持型煙突の解体方法による煙突の解体方法について説明する。
【００３２】
（ａ）工程（ジャッキ設置工程）
先ず、図５（ａ）、図２、図３に示すように、鉄塔２の下部に、筒身１を吊り上げ可能な筒身吊り上げ用ジャッキ４を設置し、筒身１の頂部に、切断された鉄塔ブロック２ａをヒンジ８を支点として倒す鉄塔ブロック倒し用ジャッキ５と、鉄塔ブロック２ａを吊り下ろす鉄塔ブロック吊り下ろし用ジャッキ６とを設置し、地上に、鉄塔ブロック吊り下ろし用ジャッキ６により吊り下ろされる鉄塔ブロック２ａをガイドする鉄塔ブロックガイド用ジャッキ７を設置する。
【００３３】
（ｂ）工程（連結工程）
次に、図５（ａ）、図２に示すように、鉄塔２の１段目、すなわち、鉄塔２の最上段の下部と、鉄塔２の２段目、すなわち、次段の上部とをヒンジ８により連結する。
【００３４】
（ｃ）工程（鉄塔切断工程）
次に、鉄塔２の１段目を２つの平面形状コ字形の鉄塔ブロック２ａに切断する。すなわち、図２、図５（ａ）中、切断線（Ａ−Ａ）で示すように、鉄塔２の１段目をその高さ方向に切断し、図６中、切断線を（Ｂ−Ｂ）で示すように、ヒンジ８部分の鉄塔を水平方向に切断する。
【００３５】
（ｄ）（鉄塔ブロック倒し工程）
次に、図５（ａ）に示すように、鉄塔ブロック倒し用ジャッキ５と、鉄塔ブロックガイド用ジャッキ７とを操作して、１段目の鉄塔ブロック２ａをヒンジ８を支点として下方に倒す。
【００３６】
（ｅ）（ヒンジ切り離し工程）
次に、ヒンジ８を鉄塔２から切り離す。このときの切断線を、図８中、（Ｃ−Ｃ）で示す。
【００３７】
（ｆ）（鉄塔ブロック吊り下ろし工程）
次に、図５（ａ）に示すように、鉄塔ブロック吊り下ろし用ジャッキ６と、鉄塔ブロック倒し用ジャッキ５と、鉄塔ブロックガイド用ジャッキ７とを操作して、１段目の鉄塔ブロック２ａを地上に吊り下ろす。すなわち、鉄塔ブロック吊り下ろし用ジャッキ６と、鉄塔ブロック倒し用ジャッキ５とを調整しながら鉄塔ブロック１ａを吊り下ろしていき、地上近くで鉄塔ブロックガイド用ジャッキ７を張って、徐々に鉄塔ブロック１ａを水平状態に戻して、地上に着座させる。
【００３８】
（ｇ）（筒身切断撤去工程）
次に、前記（ｂ）工程から前記（ｆ）工程によって、鉄塔２の１段目を解体した後、筒身吊り上げ用ジャッキ４に筒身１の荷重を預けた状態で、筒身１の下部を切断し、撤去する。このときの切断線を、図５（ｂ）中、（Ｄ−Ｄ）で示す（後述する工程においても同様）。
【００３９】
（ｈ）筒身吊り下ろし工程
次に、図５（ｂ）に示すように、筒身吊り上げ用ジャッキ４により筒身１を、その切断撤去毎に地上に吊り下ろす。なお、エレベータシャフト３は、筒身１の切断時に切断して、撤去する。以下の工程においても同様である。
【００４０】
このようにして、鉄塔２の１段目の解体が終了したら、前記（ｂ）工程から前記（ｈ）工程を、鉄塔２の２段目から４段目に亘って順次、繰り返し行う。
【００４１】
すなわち、鉄塔２の１段目の解体が終了したら、図５（ｃ）に示すように、筒身吊り上げ用ジャッキ４を据え替えた後、図５（ｄ）に示すように、鉄塔２の２段目の下部と、鉄塔２の３段目の上部とをヒンジ８により連結する。
【００４２】
次に、鉄塔２の２段目を２つの平面形状コ字形の鉄塔ブロック２ａに切断する。
【００４３】
次に、図５（ｄ）に示すように、鉄塔ブロック倒し用ジャッキ５と、鉄塔ブロックガイド用ジャッキ７とを操作して、２段目の鉄塔ブロック２ａをヒンジ８を支点として下方に倒す。
【００４４】
次に、ヒンジ８を鉄塔２から切り離す。
【００４５】
次に、鉄塔ブロック吊り下ろし用ジャッキ６と、鉄塔ブロック倒し用ジャッキ５と、鉄塔ブロックガイド用ジャッキ７とを操作して、２段目の鉄塔ブロック２ａを地上に吊り下ろす。
【００４６】
次に、上記工程によって、鉄塔２の２段目を解体した後、筒身吊り上げ用ジャッキ４に筒身１の荷重を預けた状態で、筒身１の下部を切断し、撤去する。
【００４７】
次に、図５（ｅ）に示すように、筒身吊り上げ用ジャッキ４により筒身１を、その切断撤去毎に地上に吊り下ろす。
【００４８】
次に、図５（ｆ）に示すように、筒身吊り上げ用ジャッキ４を据え替えた後、図５（ｇ）から図５（ｊ）に示すように、鉄塔２の３段目から４段目についても同様な工程を繰り返し行って、３段目から４段目の鉄塔２を解体する。
【００４９】
このようにして、鉄塔２の１段目から４段目の解体が終了したら、図５（ｋ）に示すように、筒身吊り上げ用ジャッキ４により筒身１を、その切断撤去毎に地上に吊り下ろす。
【００５０】
次に、図５（ｌ）に示すように、筒身吊り上げ用ジャッキ４を据え替える。
【００５１】
次に、図５（ｍ）に示すように、クレーン９により、鉄塔ブロック倒し用ジャッキ５と、鉄塔ブロック吊り下ろし用ジャッキ６とを地上に吊り下ろす。
【００５２】
次に、図５（ｎ）に示すように、筒身１の下部を切断した後、撤去し、この後、筒身吊り上げ用ジャッキ４により筒身１を吊り下ろす。
【００５３】
次に、図５（ｏ）に示すように、筒身吊り上げ用ジャッキ４を据え替える。
【００５４】
次に、図５（ｐ）に示すように、筒身１の下部を切断した後、撤去し、この後、筒身吊り上げ用ジャッキ４により筒身１を吊り下ろす工程を繰り返し行う。
【００５５】
次に、図５（ｑ）に示すように、筒身頂部１ａを撤去する。
【００５６】
次に、図５（ｒ）に示すように、クレーン９により、筒身吊り上げ用ジャッキ１ｂを撤去する。
【００５７】
次に、図５（ｓ）に示すように、鉄塔２の５段目を解体する。
【００５８】
以上のようにして、この発明により鉄塔支持型煙突を解体することができる。
【００５９】
この発明によれば、鉄塔２の１段目と、鉄塔の２段目とをヒンジ８により連結した後、鉄塔２の１段目を２つの鉄塔ブロック２ａに切断し、次いで、鉄塔ブロック２ａをヒンジ８を支点として鉄塔ブロック倒し用ジャッキ５と鉄塔ブロックガイド用ジャッキ７とにより下方に倒し、次いで、ヒンジ８を鉄塔２から切り離した後、鉄塔ブロック２ａを鉄塔ブロック吊り下ろし用ジャッキ６と、鉄塔ブロック倒し用ジャッキ５と、鉄塔ブロックガイド用ジャッキ７とを操作して吊り下ろし、次いで、筒身１の下部を切断した後、筒身１を筒身吊り上げ用ジャッキ４により吊り下ろす工程を繰り返し行うことによって、大型クレーンを使用することなく、鉄塔支持型煙突を容易に安全かつ確実に解体することができる。
【符号の説明】
【００６０】
１：筒身
１ａ：筒身頂部
２：鉄塔
２ａ：鉄塔ブロック
３：エレベータシャフト
４：筒身吊り上げ用ジャッキ
５：鉄塔ブロック倒し用ジャッキ
６：鉄塔ブロック吊り下ろし用ジャッキ
７：鉄塔ブロックガイド用ジャッキ
８：ヒンジ
９：クレーン
１１：筒身
１２：鉄塔
１５：ジャッキ
１６：ガイドローラ
１７：補強材
１８：補強材
２０：切断位置
２１：搬送台車
２２：レール
３０：クローラクレーン
【図１】
2018168601.tif 000003
【図２】
2018168601.tif 000004
【図３】
2018168601.tif 000005
【図４】
2018168601.tif 000006
【図５（ａ）】
2018168601.tif 000007
【図５（ｂ）】
2018168601.tif 000008
【図５（ｃ）】
2018168601.tif 000009
【図５（ｄ）】
2018168601.tif 000010
【図５（ｅ）】
2018168601.tif 000011
【図５（ｆ）】
2018168601.tif 000012
【図５（ｇ）】
2018168601.tif 000013
【図５（ｈ）】
2018168601.tif 000014
【図５（ｉ）】
2018168601.tif 000015
【図５（ｊ）】
2018168601.tif 000016
【図５（ｋ）】
2018168601.tif 000017
【図５（ｌ）】
2018168601.tif 000018
【図５（ｍ）】
2018168601.tif 000019
【図５（ｎ）】
2018168601.tif 000020
【図５（ｏ）】
2018168601.tif 000021
【図５（ｐ）】
2018168601.tif 000022
【図５（ｑ）】
2018168601.tif 000023
【図５（ｒ）】
2018168601.tif 000024
【図５（ｓ）】
2018168601.tif 000025
【図６】
2018168601.tif 000026
【図７】
2018168601.tif 000027
【図８】
2018168601.tif 000028
【図９（ａ）】
2018168601.tif 000029
【図９（ｂ）】
2018168601.tif 000030
【図９（ｃ）】
2018168601.tif 000031
【図９（ｄ）】
2018168601.tif 000032
【図９（ｅ）】
2018168601.tif 000033
【図９（ｆ）】
2018168601.tif 000034
【図９（ｇ）】
2018168601.tif 000035